(57)【特許請求の範囲】
【請求項１】
上面に形成された開口端を備え、配管内の配線に接続するレセプタクルを内部に収容するとともに、路面に埋設される基台と；
埋込型標識灯を受け容れる凹部を有するとともに、基台の開口端に取り付けられるアダプタ本体、アダプタ本体の凹部の内面に露出して配設されて埋込型標識灯の受電端子に接続する電源端子台、および電源端子台からアダプタ本体の背面側へ導出されて基台内のレセプタクルに接続するプラグを備えたアダプタと；
を具備していることを特徴とする埋込型標識灯取付装置。
【請求項２】
上面に形成された開口端を備え、配管内の配線に接続するレセプタクルを内部に収容するとともに、路面に埋設される基台と；
基台の開口端に取り付けられるリング状の下部アダプタと；
埋込型標識灯を受け容れる凹部を有するとともに、下部アダプタを介して基台の開口端に取り付けられる上部アダプタ本体、上部アダプタ本体の凹部の内面に露出して配設されて埋込型標識灯の受電端子に接続する電源端子台、および電源端子台から上部アダプタ本体の背面側へ導出されて基台内のレセプタクルに接続するプラグを備えた上部アダプタと；
を具備していることを特徴とする埋込型標識灯取付装置。
【請求項３】
請求項１または２記載の埋込型標識灯取付装置と；
上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出するとともに光源に接続する受電端子を備え、アダプタまたは上部アダプタに取り付けられる埋込型標識灯と；
を具備していることを特徴とする埋込型標識灯装置。
【請求項４】
埋込型標識灯は、灯体内に露出したプリズムの光入射面の周囲に当接するパッキング、および灯体に固定されてパッキングを介してプリズムを押さえる押さえ枠を備えるとともに、パッキングと押さえ枠とが機械的に結合していることを特徴とする請求項３記載の埋込型標識灯装置。
【請求項５】
埋込型標識灯は、その光学ユニットがプリズムと光源との間の光路に介在するダイクロイック色フィルタおよび減光フィルタを備えていることを特徴とする請求項３または４記載の埋込型標識灯装置。
【発明の詳細な説明】
【０００１】
【発明の属する技術分野】
本発明は、空港において航空機のパイロットに対するマーカーライトなどとして用いたり、道路などに用いたりする埋込型標識灯を路面に取り付けるための埋込型標識灯取付装置およびこれを備えた埋込型標識灯装置に関する。
【０００２】
【従来の技術】
空港用の埋込型標識灯を路面に設置するための構造として、予め基台を路面に埋設しておき、基台に直接的に、または調整リングを介して間接的に、埋込型標識灯を取り付ける構成が採用されている。そして、基台内に予め電源およびまたは他の埋込型標識灯との間を結ぶ電気配線を施しておく。電気配線の工法には、切込接着工法と配管工法とがある。
【０００３】
前者は、路面を構成するコンクリートに配線溝を切り、この配線溝内に電気配線を直接接着する工法である。この工法に用いる基台は、その側面を貫通するように接続端子を防水して取り付けるとともに、基台の内部側においては電源端子台を配設し、電源端子台と接続端子との間を内部接続線を介して接続した構成となっている。これに対して、埋込型標識灯には、その底面から受電端子を突出していて、埋込型標識灯を基台の所定の位置に配置したときに、受電端子が電源端子台に接続するように構成されている。
【０００４】
後者は、配管内に通線して配線する工法であり、路面を構成するコンクリート内に予め敷設され、内部に配線を通線した配管を基台に接続して配線を基台の内部に導入し、導入した配線の先端にレセプタクルを接続している。これに対して、埋込型標識灯には、その底面から接続線を導出するとともに、接続線の先端にプラグを接続している。そして、プラグを上記レセプタクルに装着して、埋込型標識灯を配線に接続する。
【０００５】
【発明が解決しようとする課題】
ところが、従来のいずれの電気配線工法においても問題がある。すなわち、切込接着工法においては、配管工法における後述する問題はないが、地盤が動いた場合、配線溝内の配線が切断されやすく、長期信頼性に欠けるという問題がある。配管工法は、この問題の対策として開発されたものである。
【０００６】
一方、配管工法においては、雨水などが配管を伝って浸入する虞があるために、埋込型標識灯を取り付ける際に、レセプタクルにプラグを接続した後、テーピングを施す必要がある。このため、埋込型標識灯の交換作業に手間取り、短時間に交換することが困難である。これに対して、空港においては、埋込型標識灯のメインテナンスを短時間に済ます要請が強いので、従来の配管工法用の標識灯取付装置においては、上記要請に応えることができないという問題がある。
【０００７】
本発明は、長期信頼性に優れるとともに、埋込型標識灯の交換を短時間に行なえるようにして、従来の欠点を除去した埋込型標識灯取付装置およびこれを備えた埋込型標識灯装置を提供することを目的とする。
【０００８】
また、本発明は、加えて改良された埋込型標識灯を備えた埋込型標識灯装置を提供することを他の目的とする。
【０００９】
【課題を達成するための手段】
請求項１の発明の埋込型標識灯取付装置は、上面に形成された開口端を備え、配管内の配線に接続するレセプタクルを内部に収容するとともに、路面に埋設される基台と；埋込型標識灯を受け容れる凹部を有するとともに、基台の開口端に取り付けられるアダプタ本体、アダプタ本体の凹部の内面に露出して配設されて埋込型標識灯の受電端子に接続する電源端子台、および電源端子台からアダプタ本体の背面側へ導出されて基台内のレセプタクルに接続するプラグを備えたアダプタと；を具備していることを特徴としている。
【００１０】
本発明および以下の各発明において、用語の定義および技術的意味は次による。
【００１１】
まず、基台について説明する。本発明において、基台は、路面に埋設されて、配線を導入するとともに、埋込型標識灯を取り付ける際の基礎を提供する。すなわち、基台には、アダプタを介して埋込型標識灯が直接的または間接的に取り付けられる。そのために、基台は、まず配管工法に適合するように構成されている。具体的には配管と接続し得る構造を備えている。配管との接続は、基台の側面を利用するのが最適であるが、要すれば、底面を利用してもよい。
【００１２】
また、基台は、埋込型標識灯を取り付ける基礎を提供するために、上面が開口している。そして、アダプタを直接的にまたは調整リングなどを介して間接的に取り付けるように構成されている。アダプタを取り付けるには、開口を利用するのが最適であるが、要すれば、側面など開口以外の個所であってもよい。また、アダプタを取り付けるには、たとえば基台の開口端の適所にねじ孔を形成し、アダプタにはねじ孔に一致する通孔を形成して、通孔を経由してボルトをねじ孔にねじ込むように構成することができる。しかし、要すれば、基台の開口端の適所からスタッドボルトを突出させ、アダプタにスタッドボルトが挿通する通孔を形成し、アダプタの上からナットをスタッドボルトにねじ込むことにより、アダプタを基台に固定するように構成することもできる。
【００１３】
さらに、基台は、埋込型標識灯に電源を供給するために、配管内の配線に接続するレセプタクルを内部に収容する。レセプタクルは、後述するアダプタから導出されたプラグと接続する。
【００１４】
次に、アダプタについて説明する。本発明において、アダプタは、基台と埋込型標識灯との間に介在して配管工法による電源接続方式を埋込型標識灯を交換するのに好適な電源接続方式に転換する。そのために、アダプタは、アダプタ本体、電源端子台およびプラグを備えていて、アダプタ自体を基台に取り付けるための機能と、埋込型標識灯を取り付けるための機能と、電源接続方式転換機能とを備えている。
【００１５】
また、アダプタ本体は、上面に埋込型標識灯を受け容れる凹部を有する。この凹部は、埋込型標識灯を取り付けるための機能の主要部を担当する。すなわち、埋込型標識灯の突出した下部を受け容れて、埋込型標識灯を安定的に支持する。また、埋込型標識灯を固定するための構成を備えている。たとえば、スタッドボルトまたはねじ孔など慣用の固着手段を用いることができる。すなわち、凹部は、スタッドボルトの場合は、アダプタ本体から上方へスタッドボルトを突出させ、埋込型標識灯に形成した通孔をスタッドボルトに挿通し、埋込型標識灯の上方からナットをスタッドボルトにねじ込んで締め付ける。これに対して、ねじ孔の場合は、アダプタ本体にねじ孔を形成し、埋込型標識灯に通孔を形成し、通孔を経由してねじ孔にボルトをねじ込んで締め付ける。
【００１６】
一方、アダプタ本体は、アダプタを基台に取り付けるための固着手段を備えている。たとえば、基台の取付手段に対応した取付手段たとえば通孔を周辺に備え、アダプタ本体の上方からボルトを基台のねじ孔にねじ込んだり、アダプタ本体の通孔を経由して上方へ突出したスタッドボルトの上方からナットをねじ込んだりして、締め付ける。
【００１７】
さらに、アダプタ本体は、単一部品構成および複合部品構成のいずれであってもよい。後者の場合、複数の部品を結合してアダプタ本体が構成されるが、複数の部品がどの部分で分離され、あるいは結合していてもよい。たとえば、底面部をその他の部分から分離可能に分割して、ボルトなどの固着具によって結合するように構成することができる。この場合には、アダプタ本体を基台から取り外さなくても、底面部を分離するだけで基台の内部を点検、修理することが可能になり、上記作業が一層容易、かつ、短時間で行なえるようになる。
【００１８】
電源端子台は、埋込型標識灯をアダプタ本体の凹部に所定の手順にしたがって収容させたときに、埋込型標識灯のたとえば下面から突出する受電端子と接続するように構成されている。換言すれば、埋込標識灯を所定の位置に配置することにより、電源端子台は、受電端子と自動的に接続する。また、埋込型標識灯をアダプタから取り外せば、受電端子は、電源端子台から自動的に離脱する。しかし、埋込型標識灯のアダプタに対する正確な位置は、埋込型標識灯とアダプタとの間の取付手段の間で規制する方がよいので、電源端子台と受電端子との間は、それらの組み立て時に多少の位置のずれが生じていたとしても接続が可能なように、余裕をもって柔軟に対応できるよう位置が許容される範囲内で相対的に可動に構成されているのが好ましい。なお、上記両者の位置を相対的に可動にする場合、いずれか一方または両方を可動にすればよいが、前者を可動にすれば、埋込型標識灯を両配線工法用として共通設計にすることができるので、好適である。
【００１９】
また、電源端子台は、内部に埋込型標識灯の受電端子を受け容れて接続するように、絶縁ケースの内部にコネクタが収納された構成であることが好ましい。さらに、電源端子台は、受電端子との接続を容易にするために、ガイドピンまたはガイド孔を付設することができる。もちろん、これに対応して埋込型標識灯には、電源端子台に相手側となるガイド孔またはガイドピンを付設するものとする。すなわち、ガイドピンとガイド孔とが嵌合する過程で、所要のガイド作用が行なわれる。なお、ガイド孔の開口端には、その周囲に円錐形状のテーパ面備えられていて、ガイドピンをガイド孔へと誘導し得るように構成される。
【００２０】
プラグは、電源端子台と協働して電源接続方式転換機能を担当する。そのために、プラグは、電源端子台からアダプタ本体の背面側へ導出されていて、基台内のレセプタクルに接続する。プラグと電源端子台との間を絶縁被覆導線により直接的に接続してもよいし、アダプタ本体を防水的に貫通する中継端子を経由して間接的に接続してもよい。前者の場合には、絶縁被覆導線がアダプタ本体を貫通するので、貫通部分に防水処理および絶縁ブッシュを貫通部に配設するなどの絶縁処理を施すのがよい。また、プラグと基台のレセプタクルとを接続した後、絶縁テープを用いて両者をテーピングするなど、手間を要しても確実な防水処理を施すことができる。また、後者の場合、中継端子をアダプタ本体に対して防水処理して取り付けるのが好ましい。
【００２１】
次に、本発明の作用について説明する。埋込型標識灯取付装置が以上説明した構成を具備していることにより、日常的なメンテナンスとしての埋込型標識灯の交換は、アダプタから埋込型標識灯を取り外して、新たな埋込型標識灯をアダプタに取り付けるだけでよい。なぜなら、埋込型標識灯を単に取り外すだけで、受電端子が電源端子台から離脱して、配線が解除される。また、新たな埋込型標識灯を取り付けるだけで、その受電端子がアダプタの電源端子台に接続して、所要の配線が形成される。このため、埋込型標識灯の交換作業が容易になり、短時間で済ますことができる。
【００２２】
また、切込接着工法用として設計された埋込型標識灯を配管工法用の基台に取り付けるように構成することができる。このため、空港における埋込型標識灯の配線に長期信頼性を付与することができる。しかし、独自に専用のものとして設計された埋込型標識灯であってもよい。
【００２３】
請求項２の発明の埋込型標識灯取付装置は、上面に形成された開口端を備え、配管内の配線に接続するレセプタクルを内部に収容するとともに、路面に埋設される基台と；基台の開口端に取り付けられるリング状の下部アダプタと；埋込型標識灯を受容する凹部を有するとともに、下部アダプタを介して基台の開口端に取り付けられる上部アダプタ本体、上部アダプタ本体の凹部の内面に露出して配設されて埋込型標識灯の受電端子に接続する電源端子台、および電源端子台から上部アダプタ本体の背面側へ導出されて基台内のレセプタクルに接続するプラグを備えた上部アダプタと；を具備していることを特徴としている。
【００２４】
本発明は、アダプタが上部アダプタと下部アダプタとで構成されている点で請求項１記載の発明と異なる。すなわち、基台と下部アダプタとを路面に埋設していても、埋込型標識灯および上部アダプタを取り外せば、下部アダプタの上方から基台の内部が見えるようになる。したがって、下部アダプタは、一般的には基台と一緒に路面に埋設した状態で用いられる。また、下部アダプタに対して上部アダプタを分離可能にするとともに、下部アダプタを基台に取り付け可能にするために、下部アダプタは、基台の取付部に取り付けられる取付手段を備えるとともに、上部アダプタの取付手段を取り付ける取付部をも備えていることが許容され。しかし、下部アダプタは、基台とアダプタとの間にサンドイッチされるように介在するように構成されていてもよい。なお、基台の内部に標識灯に接続するトランスを内臓することができる。
【００２５】
そうして、本発明においては、以上説明した構成を具備していることにより、下部アダプタが基台に取り付けられて路面に埋設していても、埋込型標識灯および上部アダプタを取り外せば、下部アダプタの上方から基台の内部が見えるので、トランスを基台に内蔵する場合などに好適である。すなわち、トランスを内蔵している場合には、基台および下部アダプタの路面への埋設後にトランスを基台の内部に収納したり、メンテナンスとして基台の内部に収納されたトランスおよび配線などその付帯設備を点検したり、トランスを交換したりする必要が生じた際に、本発明は好都合である。
【００２６】
請求項３の発明の埋込型標識灯装置は、請求項１または２記載の埋込型標識灯取付装置と；上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって下面に露出するとともに光源に接続する受電端子を備え、アダプタまたは上部アダプタに取り付けられる埋込型標識灯と；を具備していることを特徴としている。
【００２７】
本発明の埋込型標識灯装置は、上記のように埋込型標識灯と、これを路面に取り付ける埋込型標識灯取付装置とで構成されている。なお、「アダプタ」とは、請求項１に規定するアダプタをいう。また、「上部アダプタ」とは、請求項２に規定する上部アダプタをいう。
【００２８】
まず、埋込型標識灯について説明する。埋込型標識灯は、少なくとも灯体、光学ユニット、受電端子および取付手段を備えて構成されている。埋込型標識灯は、空港用の場合、たとえば滑走路中心線灯、誘導路中心線灯、停止線灯などとして構成することができる。また、道路用としては、交叉点標識用など所望の用途に適合するように構成することができる。
【００２９】
灯体は、光導出溝、内部空間、プリズムおよび取付部を備えている。また、灯体は、内部空間内に収納する光学ユニットなどの部品を組み込むために、好適には上部灯体および下部灯体に分割される。この場合、上部灯体は、その上部を航空機が高速で走行しても、機械的に十分耐えられるようにするために、好ましくは耐久性および強度の大きい金属を鋳造して形成される。これに対して、下部灯体は、アダプタまたは上部アダプタの内部に収容されるので、相対的に強度の小さい金属板をプレス成形したり、またはダイキャストにより形成したりすることができる。
【００３０】
光導出溝は、灯体の路面上に露出している上面部に配設されている。この種の埋型標識灯の場合、標識光を路面に対して小さな仰角で照射する必要があり、そのために光導出溝を形成している。内部空間は、一般に路面内に埋設される位置にある。そして、後述する光学ユニットを始め、受電部分などを収容する。
【００３１】
プリズムは、光学ユニットから放射された光路を屈折させて、光路を所定の仰角に規制するために用いられる。すなわち、灯体の内部空間においては、光源からプリズムに至る光軸を路面に対して小角度で設定することが困難である。そこで、中間にプリズムを介在させて路面方向へ屈折させる。プリズムを灯体の所定の位置に配設するには、好適には以下の構成による。すなわち、灯体の内部側にプリズムを収納する凹部を形成してプリズムを収納し、その背面すなわち光入射面の周囲にゴムなどの軟弾性物質からなる枠状のパッキングを配設し、さらにパッキングの背部を枠状の押さえ金具で支持する。押さえ金具は、ねじなどを用いて灯体の内面に固着する。
【００３２】
取付部は、灯体をアダプタまたは上部アダプタに取り付けるための構成で、灯体の周辺部の適所に配設された取付孔などによって構成されている。取付孔の上端には、ナットやボルトの頭部などを収納して、灯体の上面から突出しないようにする凹部を供えていることが許容される。また、取付孔は、アダプタまたは上部アダプタに対する埋込型標識灯の取付位置を調整するために、長孔であることを許容する。したがって、灯体の上面が円形である場合、長孔は円弧状になる。
【００３３】
光学ユニットは、少なくとも光源を備え、さらに所要により反射鏡、色フィルタ、減光フィルタなど他の光学手段および上記各手段を所定の位置に取り付けるための取付枠などの付帯的な手段を含むことができる。光源は、小形高光出力が可能になる点からハロゲン電球を用いるのが好ましいが、クリプトンやキセノンガスを封入した電球においても比較的小形高光出力のものが得られるので、またそれほど小形高光出力を要求されない場合も含めて、その他の電球または発光ダイオードなどの使用を許容する。なお、ハロゲン電球を用いる場合、バルブの表面に赤外線反射膜を形成したものがあるが、発光効率が一層高くなるので、この構成は本発明に好適である。
【００３４】
色フィルタは、光路に出射される光ビームを所定の光色になるように波長を選択するための光学手段であり、光源とプリズムとの間の光路に配設される。また、色フィルタとしては、ダイクロイックフィルタフィルタ膜をガラス板の表面に蒸着などにより被着させてなるダイクロイック色フィルタが所望の光色の光のみを効率よく得られるので好適である。さらに、色フィルタを所定の位置に配設するには、たとえば色フィルタを金属枠によって支持し、この金属枠をプリズムの押さえ金具に共締めする。
【００３５】
反射鏡は、光源から放射される光を集光して、色フィルタに入射させる場合に用いられる。また、反射鏡は、光源に対して独立していてもよいが、両者を一体化させてもよい。後者の場合、回転２次曲面または多面分割面を有する反射基盤面および反射基盤面の頂部に筒状部を備えたガラス成形基体の当該反射基盤面にダイクロイック反射膜を形成してなる反射鏡を用いて、その筒状部にハロゲン電球の封止部を挿入し、筒状部と封止部とを無機質接着剤で固着して一体化することができる。なお、ダイクロイック反射膜は、可視光反射、赤外光透過性の光学特性を有するものが好適である。
【００３６】
減光フィルタは、埋込型標識灯の光出力が規格値より大きい場合に用いられる。また、減光フィルタは、色フィルタに重ね、かつ、色フィルタと共通の金属枠により支持して配置することができる。さらに、減光フィルタは、ガラス基板の表面に金属蒸着膜からなる減光フィルタ膜を被着させた構成のものを用いることができる。
【００３７】
上記の光学手段の他に、付帯手段として、光源および反射鏡の位置を規制する位置規制枠を用いることができる。光源および反射鏡の位置は、光学ユニットが所定の配光特性を埋込型標識灯に付与するために重要である。また、位置規制枠を利用して、光源を灯体に取り付けることができる。さらに、一体化された光源および反射鏡をその背面から押圧して、前面が位置規制枠に当接するように作用する押圧片を配設することができる。さらにまた、埋込型標識灯に大きな衝撃が加わったときでも、光源および反射鏡が所定の位置からずれたり脱落ししたりしないように作用する弾性脱落阻止体を位置規制枠に着脱自在に装着することができる。
【００３８】
次に、受電端子について説明する。受電端子は、アダプタまたは上部アダプタの電源端子台と接続して電源から受電する手段であり、アダプタの電源端子台の配設位置に対応して埋込型標識灯の下面または側面に配設される。また、受電端子は、電源端子台に接続可能に構成される。好適には、電源端子台の構成に対応してガイド孔またはガイドピンおよび差込刃が絶縁基体から植立していて、ガイド孔またはガイドピンが電源端子台のガイドピンまたはガイド孔に挿入され、差込刃が電源端子台の内部に収容されているコネクタに接続する構造である。
【００３９】
さらに、取付手段について説明する。取付手段は、埋込型標識灯をアダプタまたは上部アダプタに取り付けるための手段であり、埋込型標識灯の灯体に形成された取付部および固着具などにより構成される。固着具は、請求項１において説明したように構成される。
【００４０】
最後に、本発明の作用について説明する。埋込型標識灯を取り付けるには、まず埋込型標識灯を埋込型標識灯取付装置のアダプタまたは上部アダプタの凹部に所定位置になるように収容する。すると、埋込型標識灯の受電端子がアダプタまたは上部アダプタの電源端子台に接続する。次に、取付手段により埋込型標識灯をアダプタまたは上部アダプタに固着すれば、取り付けは完了する。取り付けられている埋込型標識灯を取り外すには、上記と逆に行なえばよい。したがって、埋込型標識灯の交換作業は、容易であり、しかも、短時間に済ますことができる。
【００４１】
請求項４の発明の埋込型標識灯装置は、請求項３記載の埋込型標識灯装置において、埋込型標識灯は、灯体内に露出したプリズムの光入射面の周囲に当接するパッキング、および灯体に固定されてパッキングを介してプリズムを押さえる押さえ枠を備えるとともに、パッキングと押さえ枠とが機械的に結合していることを特徴としている。
【００４２】
本発明は、灯体の上をたとえば航空機などが走行することによって埋込型標識灯に加えられる強い衝撃のために、埋込型標識灯の灯体に配設されたプリズムが灯体の所定の位置から不所望に脱落したり位置がずれたりしないように配設されるパッキングおよび押さえ板を改良した構成を規定している。すなわち、パッキングおよび押さえ板は、重ねられてプリズムの光入射面の周囲に当接するように枠状をなしていて、たとえば２点で灯体にねじ止めされる。
【００４３】
ところが、ねじ止め部を中心とする歪みが生じて部分的にパッキングの押さえが有効に作用しない部位ができてしまい、光源の点灯に伴って発生する熱による高温状態で当該部分においてパッキングが変形して位置ずれを起こしやすくなるという問題がある。特にパッキングの上部の中央部が位置ずれを生じやすい。また、この傾向は、プリズムの横幅が大きくなると相対的に顕著になる。上記の部分で位置ずれが生じると、パッキングがプリズムの光入射面の上部を覆ってしまい、入射光が蹴られて、配光が乱れたり、光ビームの光度が不足したりするという問題に発展する虞がある。
【００４４】
そこで、本発明においては、パッキングと押さえ枠とが単に当接するだけでなく、両者が機械的に結合するように構成している。パッキングと押さえ枠との機械的結合は、所望の部位で行なわせることができる。たとえば、パッキングの位置ずれによる影響が大きい部位のみを機械的に結合するように構成してもよいし、全体的に結合させてもよい。また、機械的な結合としては、たとえばパッキングの結合しようとする部位に突起を部分的に形成するとともに、押さえ板の対向する部位に突起が嵌合する凹部または透孔を部分的に形成する。しかし、これと反対に、押さえ板に突起を形成し、パッキングに凹部を形成してもよい。さらに、要すれば、上記両者を組み合わせることもできる。
【００４５】
そうして、本発明においては、パッキングおよび押さえ板を機械的に結合していることにより、光源の点灯により灯体の内部空間の温度が上昇しても、パッキングが不所望な位置ずれを起こしにくくなるので、パッキングが変形して光路にはみ出すような事態にまで至らなくなる。
【００４６】
請求項５の発明の埋込型標識灯装置は、請求項３または４記載の埋込型標識灯装置において、埋込型標識灯は、その光学ユニットがプリズムと光源との間の光路に介在するダイクロイック色フィルタおよび減光フィルタを備えていることを特徴としている。
【００４７】
本発明は、埋込型標識灯の光ビーム出力の光度を調整して規格値範囲に入れやすくした構成を規定している。すなわち、本発明においては、ダイクロイック色フィルタに加えて減光フィルタを光路に介在させている。ダイクロイック色フィルタおよび減光フィルタの前後関係は問わないので、いずれがプリズム側になっていてもよいが、両者を重ね合わせるか、張り合わせて配設するのが好ましい。これにより、共通のフィルタ支持枠を用いることによって支持構造を簡単にすることができる。また、支持枠をプリズムも押さえ枠と共締めにすることができる。さらに、共通の支持枠を用いる場合、両フィルタを支持枠に落とし入れて、さらに両フィルタの側縁を弾性押圧片で押圧するように構成することにより、両フィルタをともに簡単な構造で確実に支持することができる。ただし、ダイクロイック色フィルタおよび減光フィルタを重ねるか、張り合わせたときに、それらのフィルタ膜の少なくともいずれか一方が相手側に接触すると、フィルタ膜が損傷を受やすいので、接触しないようにするのがよい。そのためには、それぞれのフィルタ膜を外側に向けて重ねるか、張り合わせればよい。また、１枚のガラス基板を用いてその一面にダイクロイック色フィルタ膜を、他面に減光フィルタ膜を、それぞれ形成してもよい。
【００４８】
そうして、本発明においては、ダイクロイック色フィルタに加えて減光フィルタを備えているので、光源の光度が大きくても光ビーム出力の光度を規格値範囲に収めることができる。また、色フィルタがダイクロイックフィルタ膜を備えた構造であるため、所望の波長範囲で所望光色の透過光を容易に得られる。さらに、ダイクロイック色フィルタおよび減光フィルタを重ねるか、または張り合わせて支持すれば、その支持構造が簡単になる。さらにまた、それぞれのフィルタ膜が相手側に接触しないように構成することにより、フィルタ膜の損傷を防止することができる。
【００４９】
【発明の実施の形態】
以下、図面を参照して本発明の実施の形態を説明する。
【００５０】
図１ないし図１０は、本発明の埋込型標識灯取付装置およびこれを用いた埋込型標識灯装置の第１の実施形態を示し、図１は平面図、図２は図１のＡ−０−Ｂ線に沿う断面図、図３は図１のＣ−０−Ｄ線に沿う断面図、図４は埋込型標識灯との組み合わせ状態を示す断面図、図５はアダプタの電源端子台を示す平面図および左側面図、図６は埋込型標識灯装置の平面図、図７は埋込型標識灯の断面図、図８は埋込型標識灯における受電端子の底面図および底面図から見た右側面図、図９は埋込型標識灯におけるパッキングおよび押さえ枠の断面図ならびに要部拡大断面図、図１０はダイクロイック色フィルタ、減光フィルタおよびその支持枠の断面図ならびにダイクロイック色フィルタおよび減光フィルタの要部拡大断面図である。各図において、Ａは埋込型標識灯取付装置、Ｂは埋込型標識灯装置である。埋込型標識灯装置Ｂは、上記埋込型標識灯取付装置Ａに加えて、埋込型標識灯Ｃを具備して構成されている。
【００５１】
最初に、埋込型標識灯取付装置Ａについて説明する。埋込型標識灯取付装置Ａは、基台１０およびアダプタ２０を備えている。
【００５２】
基台１０は、上端に開口端１１および内部に内部空間１２を有する有底筒状をなしていて、さらに内部空間１２内に収納されたレセプタクル１３を備えている。また、基台の側面には、図示を省略している配管の接続部を有している。レセプタクル１３は、配管内に通線して基台内に導出された配線Ｗの先端に接続し、かつ、装着されている。さらに、基台１０の開口端１１には、周段部１４が形成され、周段部１４の底面に複数のねじ孔１５が分散して形成されている。周段部１４は、後述するアダプタ２０を支承する。ねじ孔１５は、アダプタ２０を取り付けるために用いる。
【００５３】
アダプタ２０は、アダプタ本体２１、電源端子台２２、およびプラグ２３を備えている。アダプタ本体２１は、凹部２１ａ、適数個のスタッドボルト２１ｂ、適数個の通孔２１ｃおよび外周段部２１ｄを有している。凹部２１ａは、アダプタ本体２１の上面に形成されて、後述する埋込型標識灯Ｃの下部を受け容れる。なお、凹部２１ａの周縁に周段部２１ａ１が形成されていて、埋込型標識灯Ｃの周縁部を支承する。適数個のスタッドボルト２１ｂは、凹部２１ａの周段部２１ａ１から植立されていて、埋込型標識灯Ｃの後述する通孔３６に挿通する。通孔２１ｃは、凹部２１ａの底面の周縁部に分散して形成されていて、アダプタ２１を基台１０に取り付けるのに用いられる。凹部２１ａの内面側には、通孔２１ｃの周囲にボルト２４の頭部が収納される凹所２１ｃ１が形成されている。外周段部２１ｄは、基台１０の周段部１４に嵌合して基台１０に支承される。
【００５４】
電源端子台２２は、その詳細を図５に示すように、絶縁ケース２２ａ、一対のコネクタ２２ｂ、２２ｂおよび一対のガイドピン２２ｃ、２２ｃを主な構成要素として構成され、凹部２１ａの内面に露出して配設されている。絶縁ケース２２ａは、扁平で、一対の取付孔２２ａ１および差込刃挿通孔２２ａ２を有している。そして、図１に示すように、一対の鍔付きねじ２２ｄ、２２ｄにより、凹部２１ａの底面に取り付けられている。なお、鍔付きねじ２２ｄ、２２ｄは、その脚部の径が取付孔の内径より小さくなっているので、電源端子台２２は、凹部の内面に沿って上記両者の径の差の範囲内で自由に動くことができる。一対のコネクタ２２ｂ、２２ｂは、離間状態で並列して、かつ、差込刃挿通孔２２ａ２に対向する位置で絶縁ケース２２ａの内部に収納されている。一対のガイドピン２２ｃ、２２ｃは、離間状態で絶縁ケース２２ａから垂直に突出している。
【００５５】
プラグ２３は、第１の絶縁被覆導線２３ａ（図２において、一部のみ示している。）、中継端子２３ｂおよび第２の絶縁被覆導線２３ｃを経由して電源端子台２２からアダプタ本体２０の背面側へ導出されている。第１の絶縁被覆導線２３ａは、電源端子台２２の一対のコネクタ２２ｂ、２２ｂと中継端子２３ｂとの間を接続している。中継端子２３ｂは、アダプタ本体２１の底面を防水的に貫通して配設されている。そして、中継金具２３ｂ１、絶縁筒体２３ｂ２ならびに第１および第２の端子金具２３ｂ３、２３ｂ４を備えている。また、中継端子２３ｂのアダプタ本体２１の内外両面に防水性合成樹脂接着剤２３ｂ５が塗布されている。中継金具２３ｂ１は、アダプタ本体２１の底面を貫通し、かつ、その周囲を絶縁筒体２３ｂ２が包囲することによりアダプタ本体２１に対して絶縁されている。また、中継金具２３ｂ１は、その両端から一対のねじ孔が途中まで形成されている。中継金具２３ｂ１の中央部は、非貫通状態で仕切られている。絶縁筒体２３ｂ２は、一対のリング部材２３ｂ２１、２３ｂ２１によりアダプタ本体２１の底面に固着されている。第１および第２の端子金具２３ｂ３、２３ｂ４は、中継金具２３ｂ１の両端に開口するねじ孔にねじ込まれて第１および第２の絶縁被覆導線２３ａ、２３ｃを中継的に接続する。第２の絶縁被覆導線２３ｃの第２の端子金具２３ｂ４の近傍部位は、固定具２３ｄによりアダプタ本体２１の下面に固定されるので、第２の端子金具との接続部にストレスがかからない。第２の絶縁被覆導線２３ｃの他端にプラグ２３が接続し、かつ、装着される。プラグ２３は、基台１０のレセプタクル１３に接続する。
【００５６】
そうして、アダプタ２０は、その外周段部２１ｄが基台１０の開口１１の周段部１４に支承され、アダプタ２０の通孔２１ｃにボルト２４を挿通して基台１０のねじ孔１５にねじ込むことにより、基台１０に固定される。そして、図４に外形のみを示すように、アダプタ２０の周段部２１ａ１が埋込型標識灯Ｃを支承する。
【００５７】
次に、埋込型標識灯Ｃについて説明する。埋込型標識灯Ｃは、灯体３０、光学ユニット４０および受電端子５０を備えている。灯体３０は、図７に示すように、光導出溝３１、内部空間３２、プリズム３３、パッキング３４、押さえ金具３５、複数の通孔３６および複数の凹所３７を備えている。また、灯体３０は、上部灯体３０Ａおよび下部灯体３０Ｂによる２つ割り構成であり、Ｏリング３０ａを介して上部灯体３０Ａおよび下部灯体３０Ｂを覆合し、ビス３６により固着することによって、内部空間３２が液密に形成されている。さらに、灯体３０は、その下部に周段部３０ｂを有している。なお、上部灯体３０Ａは、高強度金属を鋳造して形成されている。これに対して、下部灯体３０Ｂは、金属板をプレス成形して形成されている。
【００５８】
光導出溝３１は、灯体３０の上面に配設されている。そして、内部空間３２に連通している。内部空間３２は、灯体３０の内部に形成され、後述する光学ユニット４０および受電端子から導出される受電部分などを収納しているとともに、後述するプリズム３３を収納するプリズム収容部３２ａを有している。プリズム３３は、内部空間３２のプリズム収容部３２ａに収納され、その光出射面が光導出溝３１に対面し、かつ、光入射面が光学ユニット４０に対面する。
【００５９】
パッキング３４は、図７および図８に示すように、シリコーンゴム製で枠状をなし、プリズム３３の光入射面の周縁部に当接する。また、パッキング３４は、その上部枠部の背面に突起３４ａを有している。押さえ金具３５は、同様に図７および図８に示すように、その主要部がパッキング３４と同様な枠状の形状を有して、パッキング３４の背面を押圧するとともに、取付部３５ａが灯体３０の内面にビス３７により固着される。また、押さえ金具３５は、その上部枠部の内面にパッキング３４の突起３４ａが係合して、両者が機械的に結合する凹部３５ｂを有している。
【００６０】
複数の通孔３６は、灯体３０の周縁部にアダプタ２０のスタッドボルト２１ｂに一致する位置に分散して形成されている。複数の凹所３７は、通孔３６に連続して灯体３０の上面に形成されている。
【００６１】
光学ユニット４０は、光源４１、反射鏡４２、ランプソケット４３、位置規制枠４４、弾性脱落阻止体４５、ダイクロイック色フィルタ４７、および減光フィルタ４８などから構成されている。光源４１は、片封止形のハロゲン電球からなる。反射鏡４２は、光源４１と一体化されている。すなわち、反射鏡４２は、ガラス成形基体４２ａの内面に形成された回転２次曲面を有する反射基盤面に可視光反射、赤外光透過性のダイクロイック反射膜を被着して形成されていて、頂部の筒状部の内部にハロゲン電球の封止部を挿入し、かつ、固着することによって光源４１と一体化されている。ランプソケット４３は、受電端子５０の受電導体５５に接続するとともに、反射鏡４２と一体化された光源４１の口金部に装着されて光源４１に給電する。位置規制枠４４は、反射鏡４２の前面の周囲に当接して、光源４１および反射鏡４２のプリズム３３に対する位置を規制する。また、位置規制枠４４は、ビス４４ａにより下部灯体３０Ｂの内面に固着される。弾性脱落阻止体４５は、反射鏡４２が衝撃を受けて位置規制枠４４から離脱ないようにランプソケット４３の背面を弾力的に押圧する。
【００６２】
ダイクロイック色フィルタ４７および減光フィルタ４８は、図および図９に示すように、互いに重ねられた状態で支持枠４９に支持されて押さえ金具３５の背面に添接されている。ダイクロイック色フィルタ４７は、ガラス基板４７ａの一面にダイクロイック色フィルタ膜４７ｂを蒸着して形成されている。減光フィルタ４８もまた同様にガラス基板４８ａおよび減光フィルタ膜４８ｂを蒸着して形成されている。そして、それぞれのダイクロイックフィルタ膜４７ｂおよび減光フィルタ膜４８ｂは、重ね合わせ面でなく、外側に面するように配置されている。また、支持枠４９は、押さえ金具３５に共締めにより灯体３０の内面に取り付けられている。
【００６３】
受電端子５０は、図７および図１０に示すように、灯体３０の下面のアダプタ２０の電源端子台２２に対向する位置において、下方へ向かって露出して配設されている。そして、絶縁基板５１、一対の差込刃５２、５２、一対のガイド孔５３、５３、取付孔５４、５４および受電導体５５を備えている。絶縁基板５１は、その取付孔５４、５４を用いてビス（図示を省略している。）により埋込型標識灯Ｃの下面に配設されている。一対の差込刃５２、５２は、それらの基端が絶縁基板５１に離間状態で埋設されて、先端が下方へ突出している。一対のガイド孔５３、５３は、絶縁基板５１と一体に成形されるとともに、絶縁基板５１から下方へ突出している。そして、ガイド孔５３の下端面には周囲に円錐状のテーパ面が形成されている。また、一対の差込刃５２、５２および一対のガイド孔５３、５３の配設位置は、電源端子台２２のコネクタ２２ｂおよびガイドピン２２ｃの位置に一致するように構成されている。一対の受電導体５５、５５は、差込刃５２、５２に接続し、絶縁基板５０を経由して灯体３０の内部空間３２内に突出してランプソケット４３に接続する。
【００６４】
そうして、以上説明した構造の埋込型標識灯Ｃを標識灯取付装置Ａに取り付けて、標識灯装置Ｂを組み立てるには、埋込型標識灯Ｃの下部をアダプタ２０の凹部２１ａ内の所定の位置に収容する。すると、受電端子５０の一対のガイド孔５３がまず電源端子台２２の一対のガイドピン２２ｃ、２２ｃの外側に挿入し、引き続いて差込刃５２、５２が絶縁ケース２２ａの差込刃挿通孔２２ａ２に挿入し、さらにコネクタ２２ｂ、２２ｂに接続する。その結果、受電端子５０は、電源端子台２２に接続が完了する。電源端子台２２には、配線Ｗ、レセプタクル１３、プラグ２３、第２の絶縁被覆導線２３ｃ、中継端子２３ｂおよび第１の絶縁被覆導線２３ａを経由して電源に接続しているので、埋込型標識灯Ｃは作動し得る状態になる。
【００６５】
また、上記の状態において、埋込型標識灯Ｃの周縁部に形成された複数の通孔３６がアダプタ２０のスタッドボルト２１ｂに挿通し、スタッドボルト２１ｂの先端が凹所３７内に露出する。そこで、図４に示すように、袋ナットＮをスタッドボルト２１Ｂにねじ込むと、埋込型標識灯Ｃの取り付けが完了する。
【００６６】
以下、図１１ないし図１６を参照して、本発明の埋込型標識灯取付装置および埋込型標識灯装置の他の実施形態について説明する。各図において、図１ないし図１０と同一部分については同一符号を付して説明は省略する。
【００６７】
図１１は、第２の実施形態におけるダイクロイック色フィルタおよび減光フィルタの要部を拡大して示す要部拡大断面図である。本実施形態は、ダイクロイック色フィルタ４７および減光フィルタ４８を共通のガラス基板Ｇの両面を利用して、それぞれのダイクロイック色フィルタ膜４７ｂおよび減光フィルタ膜４８ｂを蒸着している点で異なる。
【００６８】
本実施形態によれば、ダイクロイック色フィルタ膜４７ｂと減光フィルタ膜４８ｂとが互いに接触することによる損傷を回避することができる。また、ダイクロイック色フィルタ４７と減光フィルタ４８の質量および厚みが小さくなり、ダイクロイック色フィルタ４７と減光フィルタ４８の耐衝撃性が向上するとともに、灯体３０の内部空間３２内における光学ユニット４０の配置が容易になる。
【００６９】
図１２は、第３の実施形態における埋込型標識灯との組み合わせ状態を示す断面図である。本実施形態は、基台１０の高さが小さくなっているとともに、アダプタ２０の中央部が基台１０の開口１１から内部へ入り込んでいる点で主として異なる。このため、埋込型標識灯装置を全体として薄形に構成することができる。
【００７０】
また、基台１０の開口端のねじ孔１５に一致するアダプタ２０の通孔２１ｃおよび凹所２１ｃ１が路面に露出しているので、アダプタ２０の基台１０からの着脱が容易になる。したがって、基台１０内を点検しやすくなる。
【００７１】
図１３および図１４は、第４の実施形態における埋込型標識灯取付装置を示し、図１３は断面図、図１４は異なる部分の断面図である。本実施形態は、基台１０と上部アダプタ２０´との間に下部アダプタ６０が介在する点で主として異なる。下部アダプタ６０は、リング状をなしていて、上面に２段階構成の周段部６１、６２が形成され、周段部６１に複数のねじ孔６３が分散して形成されている。また、周段部６２に複数の通孔６４および凹所６５が分散して形成されている。上部アダプタ２０は、２段階構成の外周段部２１ｄ１、２１ｄ２を備えている。
【００７２】
そうして、下部アダプタ６０は、その通孔６４に図示しないボルトを挿通して基台１０のねじ孔１５にねじ込むことにより、基台１０の開口端に取り付けられる。取り付け状態で、ボルトの頭部は、凹所６４内に収納される。周段部６１は、上部アダプタ２０´の外周段部２１ｄ１を支承する。周段部６２は、上部アダプタ２０´の外周段部２１ｄ２を支承する。上部アダプタ２０´は、その通孔２１ｃにボルト２４を挿通して、下部アダプタ６０のねじ孔６３にねじ込むことにより、下部アダプタ６０に取り付けられる。
【００７３】
図１５は、第５の実施形態における埋込型標識灯との組み合わせ状態を示す断面図である。本実施形態は、下部アダプタ６０の取付部が路面に露出している点で第４の実施形態と主として異なる。下部アダプタ６０は、その通孔６４にボルト６６を挿入し、基台１０のねじ孔１５にねじ込むことにより、基台１０の開口端１１に取り付けられる。
【００７４】
そうして、下部アダプタ６０が路面に露出しているので、上部アダプタ２０´および埋込型標識灯Ｃを取り外すことなく、下部アダプタ６０を基台１０から取り外すことができ、基台１０内の点検が容易になる。
【００７５】
図１６は、第６の実施形態における埋込型標識灯との組み合わせ状態を示す断面図である。本実施形態は、下部アダプタ６０が上部アダプタ２０´の底面部を構成しているとともに、上部アダプタ２０´の取付部が路面に露出している一方、基台１０の高さが小さくなっている点で主として異なる。
【００７６】
上部アダプタ２０´は、その通孔２１ｃおよび凹所２１ｃ１が路面に露出するように形成されている。また、上部アダプタ２０´は、上部アダプタ本体２１の底面が分割可能な下部アダプタ６０によって構成されている。すなわち、下部アダプタ６０は、外周段部６７を有し、上部アダプタ本体２１の底部開口２１ｄの周囲に支承され、ボルト２１ｅにより上部アダプタ本体２１に固定されている。また、上部アダプタ本体２１の通孔２１ｃおよび凹所２１ｃ１が路面から露出するように形成されている。
【００７７】
そうして、上部アダプタ２０の底板部を構成する下部アダプタ６０のボルト２１ｅを抜けば、下部アダプタ６０を取り外すことができ、基台１０の内部を容易に点検することができる。
【００７８】
埋込型標識灯Ｃを取り外すことなく上部アダプタ２０´を基台１０から取り外すことができる。
【００７９】
【発明の効果】
請求項１発明によれば、上面に形成された開口端を備え配管内の配線に接続するレセプタクルを内部に収容するとともに路面に埋設される基台と、埋込型標識灯を受け容れる凹部を有して基台の開口端に取り付けられるアダプタ本体、アダプタ本体の凹部の内面に露出して埋込型標識灯の受電端子に接続する電源端子台、および電源端子台からアダプタ本体の背面側へ導出されて基台内のレセプタクルに接続するプラグを備えたアダプタと、を具備していることにより、埋込型標識灯の交換が容易で、短時間に済ませるとともに、配管工法による配線により長期信頼性のある埋込型標識灯取付装置を提供することができる。
【００８０】
請求項２の発明によれば、上面に形成された開口端を備え配管内の配線に接続するレセプタクルを内部に収容するとともに路面に埋設される基台と、基台の開口端に取り付けられるリング状の下部アダプタと、埋込型標識灯を受け容れる凹部を有して下部アダプタを介して基台の開口端に取り付けられる上部アダプタ本体、上部アダプタ本体の凹部の内面に露出して埋込型標識灯の受電端子に接続する電源端子台、および電源端子台から上部アダプタ本体の背面側へ導出されて基台内のレセプタクルに接続するプラグを備えた上部アダプタと、を具備していることにより、請求項１に加えて上部アダプタおよび埋込型標識灯を取り外せば、下部アダプタの上方から基台の内部を点検可能な埋込型標識灯取付装置を提供することができる。
【００８１】
請求項３の発明によれば、請求項１または２記載の埋込型標識灯取付装置と、上面に配設された光導出溝、光導出溝に連通する内部空間および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出するとともに光源に接続する受電端子を備えアダプタまたは上部アダプタに取り付けられる埋込型標識灯と、を具備していることにより、請求項１および２の効果を有する埋込型標識灯装置を提供することができる。
【００８２】
請求項４の発明によれば、加えて埋込型標識灯が、灯体内に露出したプリズムの光入射面の周囲に当接するパッキング、および灯体に固定されてパッキングを介してプリズムを押さえる押さえ枠を備え、パッキングと押さえ枠とが機械的に結合していることにより、光源の点灯によって灯体内の温度上昇しても、パッキングが不所望な変形を生じにくい埋込型標識灯装置を提供することができる。
【００８３】
請求項５の発明によれば、加えて埋込型標識灯が、その光学ユニットがプリズムと光源との間の光路に介在するダイクロイック色フィルタおよび減光フィルタを備えていることにより、光源の光度が大きすぎても光ビームの光度が規格値に収まり、しかも、所望の色光を得られる埋込型標識灯装置を提供することができる。
【図面の簡単な説明】
【図１】本発明の埋込型標識灯取付装置およびこれを用いた埋込型標識灯装置の第１の実施形態を示す平面図
【図２】同じく図１のＡ−０−Ｂ線に沿う断面図
【図３】同じく図１のＣ−０−Ｄ線に沿う断面図
【図４】同じく埋込型標識灯との組み合わせ状態を示す断面図
【図５】同じくアダプタの電源端子台を示す平面図および左側面図
【図６】同じく埋込型標識灯装置の平面図
【図７】同じく埋込型標識灯の断面図
【図８】同じく埋込型標識灯における受電端子の底面図および底面図から見た右側面図
【図９】同じく埋込型標識灯におけるパッキングおよび押さえ枠の断面図ならびに要部拡大断面図
【図１０】同じくダイクロイック色フィルタ、減光フィルタおよびその支持枠の断面図ならびにダイクロイック色フィルタおよび減光フィルタの要部拡大断面図
【図１１】本発明の埋込型標識灯取付装置およびこれを用いた埋込型標識灯装置の第２の実施形態におけるダイクロイック色フィルタおよび減光フィルタの要部を拡大して示す要部拡大断面図
【図１２】本発明の埋込型標識灯取付装置およびこれを用いた埋込型標識灯装置の第３の実施形態における埋込型標識灯との組み合わせ状態を示す断面図
【図１３】本発明の埋込型標識灯取付装置およびこれを用いた埋込型標識灯装置の第４の実施形態における埋込型標識灯取付装置を示す断面図
【図１４】同じく異なる部分の断面図
【図１５】本発明の埋込型標識灯取付装置およびこれを用いた埋込型標識灯装置の第５の実施形態における埋込型標識灯との組み合わせ状態を示す断面図
【図１６】本発明の埋込型標識灯取付装置およびこれを用いた埋込型標識灯装置の第６の実施形態における埋込型標識灯との組み合わせ状態を示す断面図
【符号の説明】
Ａ…埋込型標識灯取付装置、Ｂ…埋込型標識灯装置、Ｃ…埋込型標識灯、Ｗ…配線、１０…基台、１１…開口、１３…レセプタクル、２０…アダプタ、２１…アダプタ本体、２１ａ…凹部、２２…電源端子台、２３…プラグ、５０…受電端子
【図１】
0004064805.tif 000002
【図２】
0004064805.tif 000003
【図３】
0004064805.tif 000004
【図４】
0004064805.tif 000005
【図５】
0004064805.tif 000006
【図６】
0004064805.tif 000007
【図７】
0004064805.tif 000008
【図８】
0004064805.tif 000009
【図９】
0004064805.tif 000010
【図１０】
0004064805.tif 000011
【図１１】
0004064805.tif 000012
【図１２】
0004064805.tif 000013
【図１３】
0004064805.tif 000014
【図１４】
0004064805.tif 000015
【図１５】
0004064805.tif 000016
【図１６】
0004064805.tif 000017